(57)【特許請求の範囲】
【請求項１】
火の見櫓や火の見梯子の上部に吊り下げられた半鐘を、地上からの操作用紐状体を引き下げる操作によって、ハンマーで叩くことによって鳴らすことができる半鐘打撃装置において、
前記半鐘の下方において実質的に水平に配された回動軸と、
該回動軸に基端側の軸着部で軸着されると共に先端側に前記ハンマーが固定されて該ハンマーを伴って半鐘への打撃方向と退避方向との両方向に回動自在に設けられたハンマーの柄と、
該ハンマーの柄の軸着部からの立設方向に対して前記退避方向へ一定の角度を傾けて前記ハンマーの柄の軸着部に一体的に立設された延設部、及び該延設部の先端側に配された重りによって前記ハンマーを退避方向へ戻すように付勢する重り部と、
前記ハンマーの前記回動軸と同軸に基端側の軸着部で軸着されて該ハンマーを前記打撃方向へ回動させるように前記退避方向側から前記ハンマーの柄に当接して押圧できる押圧回動部、及び該押圧回動部の軸着部からの立設方向に対して前記打撃方向へ一定の角度を傾けて前記押圧回動部の軸着部に一体的に立設され、前記押圧回動部を打撃方向へ回動させるために先端に前記操作用紐状体が固定された回動桿部を備える操作桿体と、
前記操作用紐状体の引き下げによって前記操作桿体を介して前記ハンマーの柄に伴わせて前記ハンマーを打撃方向へ回動させる際であって、前記半鐘を打撃する直前に前記操作桿体の動きを停止させて前記ハンマーの柄及び前記ハンマーが慣性によって前記打撃方向へ回動して半鐘を打撃するように、前記回動桿部の下面に当接する打撃方向側のストッパ部とを具備する半鐘打撃装置。
【請求項２】
火の見櫓や火の見梯子の上部に吊り下げられた半鐘を、地上からの操作用紐状体を引き下げる操作によって、ハンマーで叩くことによって鳴らすことができる半鐘打撃装置において、
前記半鐘の下方において実質的に水平に配された回動軸と、
該回動軸に基端側の軸着部で軸着されると共に先端側に前記ハンマーが固定されて該ハンマーを伴って半鐘への打撃方向と退避方向との両方向に回動自在に設けられたハンマーの柄と、
該ハンマーの柄の軸着部からの立設方向に対して前記退避方向へ一定の角度を傾けて前記ハンマーの柄の軸着部に一体的に立設された延設部、及び該延設部の先端側に配された重りによって前記ハンマーを退避方向へ戻すように付勢する重り部と、
前記ハンマーの柄の軸着部からの立設方向に対して前記打撃方向へ一定の角度を傾けて前記ハンマーの柄の軸着部に一体的に立設され、前記ハンマーの柄を打撃方向へ回動させるために先端に前記操作用紐状体が固定された回動桿部と、
前記操作用紐状体の引き下げによって前記回動桿部を介して前記ハンマーの柄に伴わせて前記ハンマーを打撃方向へ回動させる際であって、前記半鐘を打撃する直前に該操作用紐状体の動きを停止させて前記ハンマーの柄及び前記ハンマーが慣性によって前記打撃方向へ回動して半鐘を打撃するように、前記回動桿部の先端から一定距離をおいて該操作用紐状体に固定された下降阻止部材と、
該下降阻止部材の下降方向に該下降阻止部材が通過できない大きさの孔を備えた孔保持体とを具備する半鐘打撃装置。
【請求項３】
前記重り部の延設部の下面に当接し、該重り部を介して前記ハンマーの柄及び前記ハンマーの前記退避方向への回動を一定の角度位置で阻止するように設けられた退避方向側のストッパ部を具備することを特徴とする請求項１又は２記載の半鐘打撃装置。
【発明の詳細な説明】
【技術分野】
【０００１】
この発明は、火の見櫓や火の見梯子の上部に吊り下げられた半鐘を、地上からの操作用紐状体を引き下げて、ハンマーで叩くことによって鳴らすことができる半鐘打撃装置に関する。
【背景技術】
【０００２】
半鐘を鳴らすことは火災や水害などの災害時において近隣住民に緊急に避難を呼びかけるための有効な手段である。この半鐘は高い位置にあることが望ましいため、火の見櫓や火の見梯子の上部に吊り下げられている。従来から半鐘は緊急時に半鐘の高さまで早く登って遠くまで響くようにハンマーで強く叩かれていた。しかしながら、半鐘の高さまで登る際の危険もあって叩く人が限られており、また、登るための時間的なロスが生じていた。そこで、これまでに地上での操作によって半鐘を鳴らす手段が提案されている（特許文献１）。
【０００３】
この発明によれば、ワイヤー７を引き下げることで打鐘槌４を半鐘に衝突させるようにするものであって、その際にバネ６の付勢力が用いられている。このバネ６は、打鐘槌４が半鐘を叩いた後にワイヤー７を引く力を緩めることで打鐘槌４が元の位置に復帰することを助けるものである。
【０００４】
ここで、半鐘は、強く叩くだけでなく、その音が響いて遠くまで聞こえるように鳴らさなければならない。そのため、半鐘の響きを抑えないように半鐘を叩いた後、瞬時に槌を半鐘から退避させなければならない。
【０００５】
この点について、上記発明では、打鐘槌４を退避させるため、半鐘を叩いた後ワイヤー７を引く力を抜くことで半鐘を響かせることが提案されている。その力を抜くタイミングは、ハンマーアームの揺動域を規定する緩衝体（コイルバネ、ゴムブロックなど）の抵抗感を感知することで容易に得ることができるとする（特許文献１の段落［００２０］参照）。
【０００６】
しかしながら、緊急時に、ともかく半鐘を強く連続して叩くことが求められる状況において、ワイヤーを強く引いた後、緩衝体であるバネやゴムの抵抗を感じてワイヤーを引く力を緩めるといった調整作業を行うことは困難である。すなわち、バネを用いた上記の従来の技術では、打鐘槌４を動かす力の追従性が乏しいため、半鐘の戻りが遅くなり、よって響きが悪くなるという不都合がある。また、打鐘槌４が半鐘を叩くまでワイヤーを引く必要があり、タイミング良く力を抜かないと叩く力の勢いで半鐘を二度打ちして不規則な音が生じてしまう可能性がある。
【先行技術文献】
【特許文献】
【０００７】
【特許文献１】特願平９−２５８７３８号公報
【発明の概要】
【発明が解決しようとする課題】
【０００８】
本発明は、上記のような事情に鑑みてなされたものであり、地上に居ながら、半鐘を強く、かつよく響くように叩くことができる半鐘打撃装置を提供することを目的とする。
【課題を解決するための手段】
【０００９】
本発明にかかる半鐘打撃装置の一形態によれば、火の見櫓や火の見梯子の上部に吊り下げられた半鐘を、地上からの操作用紐状体を引き下げる操作によって、ハンマーで叩くことによって鳴らすことができる半鐘打撃装置において、前記半鐘の下方において実質的に水平に配された回動軸と、該回動軸に基端側の軸着部で軸着されると共に先端側に前記ハンマーが固定されて該ハンマーを伴って半鐘への打撃方向と退避方向との両方向に回動自在に設けられたハンマーの柄と、該ハンマーの柄の軸着部からの立設方向に対して前記退避方向へ一定の角度を傾けて前記ハンマーの柄の軸着部に一体的に立設された延設部、及び該延設部の先端側に配された重りによって前記ハンマーを退避方向へ戻すように付勢する重り部と、前記ハンマーの前記回動軸と同軸に基端側の軸着部で軸着されて該ハンマーを前記打撃方向へ回動させるように前記退避方向側から前記ハンマーの柄に当接して押圧できる押圧回動部、及び該押圧回動部の軸着部からの立設方向に対して前記打撃方向へ一定の角度を傾けて前記押圧回動部の軸着部に一体的に立設され、前記押圧回動部を打撃方向へ回動させるために先端に前記操作用紐状体が固定された回動桿部を備える操作桿体と、前記操作用紐状体の引き下げによって前記操作桿体を介して前記ハンマーの柄に伴わせて前記ハンマーを打撃方向へ回動させる際であって、前記半鐘を打撃する直前に前記操作桿体の動きを停止させて前記ハンマーの柄及び前記ハンマーが慣性によって前記打撃方向へ回動して半鐘を打撃するように、前記回動桿部の下面に当接する打撃方向側のストッパ部とを具備することを特徴とする。
【００１０】
また、本発明にかかる半鐘打撃装置の一形態によれば、前記半鐘の下方において実質的に水平に配された回動軸と、該回動軸に基端側の軸着部で軸着されると共に先端側に前記ハンマーが固定されて該ハンマーを伴って半鐘への打撃方向と退避方向との両方向に回動自在に設けられたハンマーの柄と、該ハンマーの柄の軸着部からの立設方向に対して前記退避方向へ一定の角度を傾けて前記ハンマーの柄の軸着部に一体的に立設された延設部、及び該延設部の先端側に配された重りによって前記ハンマーを退避方向へ戻すように付勢する重り部と、前記ハンマーの柄の軸着部からの立設方向に対して前記打撃方向へ一定の角度を傾けて前記ハンマーの柄の軸着部に一体的に立設され、前記ハンマーの柄を打撃方向へ回動させるために先端に前記操作用紐状体が固定された回動桿部と、前記操作用紐状体の引き下げによって前記回動桿部を介して前記ハンマーの柄に伴わせて前記ハンマーを打撃方向へ回動させる際であって、前記半鐘を打撃する直前に該操作用紐状体の動きを停止させて前記ハンマーの柄及び前記ハンマーが慣性によって前記打撃方向へ回動して半鐘を打撃するように、前記回動桿部の先端から一定距離をおいて該操作用紐状体に固定された下降阻止部材と、該下降阻止部材の下降方向に該下降阻止部材が通過できない大きさの孔を備えた孔保持体とを具備することを特徴とする。
【００１１】
また、本発明にかかる半鐘打撃装置の一形態によれば、前記重り部の延設部の下面に当接し、該重り部を介して前記ハンマーの柄及び前記ハンマーの前記退避方向への回動を一定の角度位置で阻止するように設けられた退避方向側のストッパ部を具備することを特徴とすることができる。
【発明の効果】
【００１２】
本発明にかかる半鐘打撃装置によれば、地上における操作者の操作が容易で二度打ちや半鐘を叩いた後に響きを消すことなく半鐘を鳴らすことができるという特別有利な効果を奏する。
【図面の簡単な説明】
【００１３】
【図１】本発明にかかる半鐘打撃装置の第１実施形態例を示す図であって、（ａ）は側面図、（ｂ）は半鐘を叩く状態の構成各部の位置関係を示す側面図、（ｃ）は（ａ）の位    置における半鐘側から見た正面図である。
【図２】ハンマーの柄と棒状部の状態を示す斜視図である。
【図３】押圧回動部と操作桿体の状態を示す斜視図である。
【図４】本発明にかかる半鐘打撃装置の第２実施例を示す図であって、（ａ）は側面    図、（ｂ）はロープを下降停止位置まで引き下げた状態を示す側面図、（ｃ）は半鐘を    叩く際の構成各部の状態を示す側面図である。
【図５】ハンマーの柄と棒状部と操作桿体と支柱との状態を示す斜視図である。
【図６】打撃方向側のストッパ部の形態例を示す側面図である。
【図７】操作用紐状態の保護手段を示す斜視図である。
【図８】ハンマーの脱落防止手段を示す側面図である。
【発明を実施するための形態】
【００１４】
（第１実施形態）
以下、本発明にかかる半鐘打撃装置の第１実施形態を添付図面（図１〜図３）に基づいて詳細に説明する。
【００１５】
この半鐘打撃装置は、火の見櫓や火の見梯子の上部の吊り桟２に吊り下げられた半鐘１を地上からの操作用紐状体を引き下げる操作によって、ハンマー１０で叩くことで鳴らすためのものであって、半鐘１の下方の火の見櫓を構成する梁体５などに据え付けて用いる。ここで、ハンマー１０が半鐘１側に回動する方向を打撃方向Ｆとし、ハンマー１０が打撃方向とは逆方向に回動する方向を退避方向Ｂとする。
【００１６】
ハンマーの柄１１には、図１及び図２に示すように、ハンマー１０がハンマー固定具１２によって固定されている。このハンマー１０は、円柱状であって木製が望ましいが、半鐘１を壊さずにその胴部を叩いて鳴らすことが出来るものであれば、形状及び材質はこれらに限らない。ハンマーの柄１１の基端側には円筒状の軸着部１５が形成されている。この軸着部１５は、半鐘１の外側斜め下方で半鐘１の直径方向と平行するように略半鐘１の幅で水平に伸びた回転軸５０に嵌挿されてハンマーの柄１１を回動可能に保持する。ハンマーの柄１１は、図２に示すように、軸着部１５において回動軸５０の中心部寄りから立設されている。ハンマーの柄１１の立設位置は、後述する退避方向のストッパ部６２の立設位置との関係によるものである。
【００１７】
ハンマーの柄１１の立設方向に対して前記退避方向Ｂへ一定の角度（本形態例では約７５度）を傾けてハンマーの柄１１の軸着部１５と一体的に棒状の延設部２１が立設されている。この延設部２１の先端側には重り２２が固定具２３によって固定されている。この重り２２が固定された重り部２０によって、半鐘１を打撃した際の反動によってハンマー１０及びハンマーの柄１１を退避方向Ｂへ戻す力と共に、重力の作用によってハンマー１０及びハンマーの柄１１を退避方向Ｂ方向へ付勢して素早く戻すことを可能する。なお、本形態例の延設部２１は棒状に形成されている。また、重り２２は、本形態例の球状に限定されず、重りとして適切に機能すれば、図８に示すような円筒状などの他の形状であってもよいのは勿論である。さらに、図８の形態例では、重り２２が棒状の延設部２１の延長方向に移動可能に設けられ、半鐘１に対するハンマー１０の打撃力が最良の位置になるように位置を調整して固定具２３によって固定できるようになっている。以上のように形成することで、モーメントを適切に利用でき、合理的に装置を構成できる。
【００１８】
図１（ｂ）に示すように、上記ハンマーの柄１１と重り部２０が立設された軸着部１５が嵌挿されている回動軸５０と同じ軸に、基端側に形成した円筒状の軸着部３５で軸着された押圧回動部３０が設けられている。この押圧回動部３０は、図３に示すように、軸着部３５において回動軸５０の中心部寄りから立設して先端部がハンマーの柄１１の方向へ水平に屈曲した形態になっている。押圧回動部３０の立設位置は、後述する打撃方向のストッパ部６１の立設位置との関係によるものである。水平方向への屈曲部は、ハンマー１０を打撃方向Ｆへ回動させるように、退避方向Ｂ側からハンマーの柄１１の中途部（本形態例では中央部付近）に当接する押圧部３１であって、ハンマーの柄１１に当接する箇所には緩衝材３２が固定されている。同じ回動軸５０に軸着部１５と軸着部３５とを併設させたことでそれぞれが異なる回転をすることを可能とする。
【００１９】
押圧回動部３０の軸着部３５からの立設方向に対して打撃方向Ｆへ一定の角度（本形態例では約１３５度）を傾けて軸着部３５に回動桿部４２が一体的に立設されている。これによって操作桿体４０が構成されている。回動桿部４２は、押圧回動部３０を打撃方向Ｆへ回動させるために、先端に操作用紐状体であるロープ４１が固定される棒状に形成されている。回動桿部４２と押圧回動部３０とは、図３に示すように、軸着部３５の軸の延長方向について同一の位置から立設し、操作用紐状体４１を引き下げる力が押圧回動部３０に伝わり易くされている。この回動桿部４２は、操作用紐状体４１を引き下げた時に後述するストッパ部６１に当接する長さであって、かつ回動開始前の静止時に半鐘１に接触しない程度の範囲の長さの範囲で形成される。
【００２０】
操作用紐状体は、ロープ、ワイヤー、棒など鉛直方向に力を伝達できるものであればよい。ただし、ハンマー１０を退避方向Ｂへ戻す付勢力を阻害しない様に操作桿体４０の重量の合計が重り部２０全体の重量よりはるかに軽いことが望ましい。本実施形態では、ロープ４１を採用し、このロープ４１は回動桿部４２の先端に吊り下げリング４３を介して固定されている。なお、ロープの下端には把持手４５を取り付けてロープを引き下げ易くしている。
【００２１】
ハンマーの柄１１と重り部２１が立設された軸着部１５と、押圧回動部３０の軸着部３５とが軸着されている回転軸５０は、図１（ｂ）に示すように、その両端が支柱５１、５１で固定されて梁体５より一定の高さに維持されている。支柱５１、５１は半鐘打撃装置の安定のため半鐘１の幅程度を開けて梁体５にボルト６でそれぞれ固定されている。なお、支柱５１、５１の間隔を開けたことで、軸着部１５、３５は円柱状に形成されている。
【００２２】
図１（ｃ）に示すように、支柱５１、５１を連結する連結体５２の中央部寄りに、ストッパ部６１が半鐘１方向であって回動桿部４２の回動位置方向に突設されている。このストッパ部６１は、回動桿部４２が回動を開始し、同時に押圧回動部３０の押圧部３２によってハンマーの柄１１が押圧されて打撃方向Ｆへ回動した後、ハンマー１０が半鐘１を打撃する直前に回動桿部４２及び押圧回動部３０の動きを停止させるためのものである。なお、このストッパ部は、一定の位置で回動桿部４２の動きを停止させるものであればよいので、支柱５１、５１に打撃方向Ｆ側へ水平枠体を架設してストッパ部６１とすることもできる。また、回動桿部４２から下方向へ突設させて形成することも可能である。
【００２３】
また、図１（ｃ）に示すように、支柱５１、５１を連結する連結体５２の中央部寄りに、ストッパ部６２が重り部２０の方向であって、重り部２０の回動位置方向に突設されている。このストッパ部６２は、重り部２０の棒状部２１の下面に当接し、重り部２０を介してハンマーの柄１１及びハンマー１０の退避方向Ｂへの回動を一定の角度位置で阻止するものである。このストッパ部６２によって、ハンマー１０で半鐘１を連続して打撃し易い位置に停止させることができる。
【００２４】
ストッパ部６１、６２は全体を緩衝材で構成するか先端部に緩衝材を備えることで操作桿体４０及び重り部２０の回動による衝撃を吸収することができる。本形態例ではそれぞれの先端部に緩衝材６３、６４を備えている。この緩衝材６３、６４としては、図６に示すように、回転させて角度を変更可能に固定できるウレタンローラを採用することができる。これによれば、緩衝材６３、６４にヘタリが生じた際には、角度をずらして固定することで、緩衝機能を再生することができる。
【００２５】
（第１実施形態の作用）
地上において把持手４５を掴んでロープ４１を引き下げ続けるとストッパ部６１によって回動桿部４２の回動が停止される（図１（ｂ））。同時に、軸着部３５に立設された押圧回動部３０の回動も停止する。これにより、押圧回動部３０の押圧部３１の押圧によって回動していたハンマーの柄１１が押圧部３１から離れて慣性によって打撃方向Ｆへ回動を続け、ハンマー１０で半鐘１を鳴らす。このようにハンマー１０が半鐘１を打撃する直前に地上でロープ４１を引き下げる者の操作から離脱するので、ハンマー１０で半鐘１を二度叩いてしまうことを防止することができる。
【００２６】
ハンマー１０が半鐘１を叩いた後は、その反動と重り部２０の付勢力によって、ハンマーの柄１１は瞬時に退避方向Ｂへの回動を開始する。このため、半鐘１の響きを抑えてしまうことはない。退避方向Ｂへの回動過程において、ハンマーの柄１１は押圧部３１に再び当接して押圧回動部３０を退避方向Ｂへ回動させ、同時に回動桿部４２が退避方向Ｂへ回動することによりロープ４１が上方へ引き上げられる。このため、地上で操作する者がハンマー１０を退避方向Ｂへ戻すタイミングを図る必要がない。引き上げられたロープ４１が重り部２０の回動方向に位置するストッパ部６２によって停止したら直ちにふたたびロープ４１を引き下げることで上記同じ工程で半鐘１を鳴らすことができる。この反復により半鐘１を連続して叩いて響かせることができる。
【００２７】
（第２実施形態）
次に、図４及び図５に基づいて、本発明にかかる半鐘打撃装置の他の形態について説明する。なお、以上に説明した構成と同等の構成には、同一の符号を付して詳細な説明を省略する。
第１実施形態の構成との主な違いは、ハンマーの柄１１、重り部２０及び回動桿部４２を一つの軸着部から立設させたこと及びロープ４１を引き下げる力を阻止するため、ストッパ部６１ではなく孔保持体である梁５に備えたロープ引き下げ孔７５とその孔７５を通過できない下降阻止部材（本形態例では球体７４）を用いたことである。第１実施形態と同様に、ハンマー１０が半鐘１を叩く直前に打撃方向Ｆへハンマーの柄１１を回動させる力から解放されて慣性力で半鐘１を叩く構成には変わりはない。
【００２８】
ハンマーの柄１１の基端側には、図５に示すように、円筒状の軸着部７０が形成されている。この軸着部７０は、半鐘１の外側斜め下方で半鐘１の直径方向と平行するように両端部が支柱７１に固定された回動軸（図示せず）に軸着されている。この軸着部７０には、ハンマーの柄１１の立設方向に対して打撃方向Ｆへ一定の角度（本形態例では約１３５度）を傾けて回動桿部４２が一体的に立設されている。支柱７１は、図４に示すように、梁体５から延設され上部で軸着部７０を保持している。支柱７１には、ストッパ部６２が重り部２０の方向であって、重り部２０の回動位置方向に突設されている。
【００２９】
ロープ４１は、下降阻止部材である球体７４が固定されている。この球体７４が梁体５に形成したロープ引き下げ孔７５の径より大きいことによりロープ上部４１ｂは下降を阻止されロープ４１を引き下げる力は遮られる。
【００３０】
球体７４が吊り下げリング４２からロープ４１の下方に固定される位置は、図４（ｂ）に示すように、ロープを引き下げる力が遮られた後に、回動していたハンマー１０が慣性で半鐘１を叩くための移動距離に変換されることになる。
【００３１】
（第２実施形態の作用）
地上において把持手４５を掴んでロープ４１を引き下げ続けると球体７４によって球体７４より下方のロープ下部４１ａの下降が停止される（図４（ｂ））。一方、回動桿部４２は、ロープ４１の引き下げが停止した後も慣性で回動を続ける。これによって回動桿部４２の先端に吊り下げられ球体７４の位置までのロープ上部４１ｂは撓む。ロープ上部４１ｂが撓むと同時に軸着部３５に立設されたハンマーの柄１１が慣性によって打撃方向Ｆへ回動を続けてハンマー１０で半鐘１を鳴らす（図４（ｃ））。このようにハンマー１０が半鐘１を打撃する直前に地上でロープ４１を引き下げる者の操作から離脱するので、ハンマー１０で半鐘１をニ度叩いてしまうことを防止することができる。
【００３２】
第１実施例と同様に、ハンマー１０が半鐘１を叩いた後は、反動でハンマーの柄１１は瞬時に退避方向Ｂへ重り部２０の付勢力によって回動を開始する。このため、半鐘１の響きを抑えてしまうことはない。ハンマーの柄１１が退避方向Ｂへの回動すると共に、回動桿部４２が退避方向Ｂへ回動することによりロープ４１が上方へ引き上げられる。このため、地上で操作する者がハンマー１０を退避方向Ｂへ戻すタイミングを図る必要がない。引き上げられたロープ４１が重り部２０の回動方向に位置するストッパ部６２によって停止したら直ちにふたたびロープ４１を引き下げることで半鐘１を鳴らすことができる。この反復により上記同じ工程で半鐘１を連続して叩いて響かせることができる。
【００３３】
次に、図７に基づいて、操作用紐状材（ロープ４１）の保護手段について簡単に説明する。８０は外側の被覆管であり、８１は内側の被覆管であって、本形態例ではどちらも直管になっている。この内側の被覆管８１にロープ４１が上下方向（引っ張り方向）に移動可能に挿通されている。これによれば、ロープ４１を、太陽光線や雨風などから保護することができる。また、内側の被覆管８１の周壁に設けられた開口８１ａによれば、内外の管の隙間８３を流れる矢印に示すような上昇気流が生じ易くなり、その上昇気流に伴って内側の被覆管８１内の通気性もよくなり、ロープ４１を適切に保護できる。これによれば、ロープ４１の劣化を防止し、装置の信頼性を向上できる。
【００３４】
次に、図８に基づいて、ハンマー１０の脱落防止手段について説明する。
図８に示す形態例では、柄付きのハンマー１０の柄部１１ａの部分が、軸着部１５から立設された筒状の柄の基部１１ｂに挿入され、固定具１３によって固定されている。本形態例のハンマーの柄１１は、その柄部１１ａと、柄の基部１１ｂと、軸着部１５によって構成されている。そして、ハンマー１０の頭部が、ハンマーの脱落防止手段１４によって、落下しないように軸着部１５側に連結されている。本形態例では、リング状の連結部１４ａと、柄の基部１１ｂに設けられた連結部１４ｃと、それらの連結部１４ａ、１４ｃとを連結する鎖状の連結部材１４ｂとによって、ハンマーの脱落防止手段１４が構成されている。このハンマーの脱落防止手段１４の形態は、これに限定されず、ハンマー１０の頭部と軸着部１５を含む支柱５１側とが連結するように機能するものであれば、周知の手段を適宜選択的に用いることができるのは勿論である。これによれば、ハンマー１０が割れたり、柄部１１ａが折れたりしても、ハンマー１０の落下を防止でき、高所での使用になる本装置の適切な安全対策となる。
【００３５】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００３６】
１    半鐘
２    吊り桟
５    梁体
６    ボルト
１０  ハンマー
１１  ハンマーの柄
１２  ハンマー固定具
１５  軸着部
２０  重り部
２１  延設部
２２  重り
２３  重り固定具
３０  押圧回動部
３１  押圧部
３２  緩衝材
３５  押圧回動部の軸着部
４０  操作桿体
４１  ロープ
４１ａ  ロープ下部
４１ｂ  ロープ上部
４２  回動桿部
４５  把持手
５０  回動軸
５１  支柱
５２  支柱連結体
７０  軸着部
７１  支柱
７４  球体
７５  ロープ引き下げ孔
Ｆ  打撃方向
Ｂ  退避方向
【図１】
0005841822.tif 000002
【図２】
0005841822.tif 000003
【図３】
0005841822.tif 000004
【図４】
0005841822.tif 000005
【図５】
0005841822.tif 000006
【図６】
0005841822.tif 000007
【図７】
0005841822.tif 000008
【図８】
0005841822.tif 000009